(57)【要約】【課題】  小型化が可能で、光の取出し効率が向上した発光装置、および発光装置の製造に用いるリードフレームを提供することができる。【解決手段】  発光装置は、金属で形成された一対の電極部と、一対の電極部に接続された光源と、それぞれ金属で形成され、光源の光照射方向の周囲を囲んで起立した少なくとも一対の側壁部２２ａ、２２ｂを備えている。一対の側壁部は、光源に対向した光照射開口２４を規定しているとともに、光源から光照射方向に向かって光照射開口の面積が広がるように、光照射方向に対して傾斜している。【選択図】      図１
2009260078.tif 000002
【特許請求の範囲】
【請求項１】
金属で形成された一対の電極部と、前記一対の電極部に接続された光源と、それぞれ金属で形成され、前記光源の光照射方向の周囲を囲んで起立した少なくとも一対の側壁部を備え、前記一対の側壁部は、前記光源に対向した光照射開口を規定しているとともに、前記光源から前記光照射方向に向かって前記光照射開口の面積が広がるように、前記光照射方向に対して傾斜している発光装置。
【請求項２】
前記一対の側壁部は、それぞれ露出した外面と、この外面の少なくとも一部の領域に形成され外部に導通可能な導通部と、を有している請求項１に記載の発光装置。
【請求項３】
前記一対の電極部を覆って設けられ、電極部および側壁部を支持しているとともに前記一対の側壁部間を絶縁する樹脂で形成された外囲器を備えている請求項１に記載の発光装置。
【請求項４】
前記一対の側壁部を含み、前記光源の光照射方向の周囲を囲む矩形枠状に形成された側壁部を備え、前記矩形枠の４辺を構成する側壁部は、それぞれ前記光照射方向に対して、前記光源から広がる方向に傾斜している請求項１に記載の発光装置。
【請求項５】
前記一対の側壁部を含み、前記光源の光照射方向の周囲を囲む矩形枠状に形成された側壁部を備え、前記矩形枠の４辺を構成する側壁部の内、前記導通部が形成された一辺は、前記光源の光照射方向と平行な方向に延び、他の辺は、それぞれ前記光照射方向に対して、前記光源から広がる方向に傾斜している請求項２に記載の発光装置。
【請求項６】
前記側壁部の内側で前記光源に重ねて配設され、前記光源から射出される第１波長領域を含む励起光の少なくとも一部を吸収して、第１波長領域と異なる第２波長領域の光を射出する波長変換部材を備えている請求項１に記載の発光装置。
【請求項７】
前記光源から射出される第１波長領域を含む励起光は、紫外領域を主として含み、前記第２波長領域の光は主として可視光領域の光を含んでいる請求項６に記載の発光装置。
【請求項８】
前記側壁部は、前記光源から射出される光の内、少なくとも一部を反射する反射面を有している請求項１に記載の発光装置。
【請求項９】
前記側壁部は、前記光源から射出される第１波長領域の光の一部、もしくは前記波長変換部材から射出される第２波長領域の光の一部を反射する反射面を有している請求項６に記載の発光装置。
【請求項１０】
前記側壁部の反射面は、Ａｇ、Ａｌの少なくとも一方を主成分とする材料で形成されている請求項８又は９に記載の発光装置。
【請求項１１】
前記電極部および側壁部は、共通の金属板により形成されている請求項１ないし１０のいずれか１項に記載の発光装置。
【請求項１２】
金属で形成された一対の電極部と、前記一対の電極部に接続された光源と、それぞれ金属で形成され、前記光源の光照射方向の周囲を囲んで起立した少なくとも一対の側壁部を備え、前記一対の側壁部は、前記光源に対向した光照射開口を規定しているとともに、前記光源から前記光照射方向に向かって前記光照射開口の面積が広がるように、前記光照射方向に対して傾斜している発光装置の製造に用いるリードフレームであって、前記一対の電極部および側壁部を形成する金属部を一体に備えたリードフレーム。
【発明の詳細な説明】
【技術分野】
【０００１】
本発明は、携帯電話機のフラッシュランプや液晶表示装置のバックライトとして用いられる発光装置、および発光装置の製造に用いるリードフレームに関する。
【背景技術】
【０００２】
近年、発光ダイオード（ＬＥＤ）等の半導体発光素子を備えた高出力で小型の発光装置が開発され、安価で長寿命な発光装置として注目されている。このような発光装置は、小型、低消費電力、軽量等の特徴を生かして、例えば、携帯電話機のフラッシュランプ、液晶表示装置のバックライトの光源等に用いられている。
【０００３】
この種の発光装置は、一対の電極上に実装された発光素子と、光放出用の開口を除いて発光素子の周囲を覆った外囲器と、を有している。この外囲器は、合成樹脂により電極上に成形されている。
【０００４】
例えば、バックライトの光源として用いられる発光装置は、機器の小型化および軽量化に伴い、小型化および薄型化が求められている。発光装置の小型化、主に高さ方向の薄型化を図るため、樹脂で形成された外囲器自体の薄型化が図られている（例えば、特許文献１および２）。
【特許文献１】特開２００７−３１１７３６号公報
【特許文献２】特開２００７−２８０９８３号公報
【発明の開示】
【発明が解決しようとする課題】
【０００５】
上記のような発光装置において、外囲器の内面は、発光素子から放出された光を反射する反射面となるが、外囲器が合成樹脂により形成されている場合、反射率が低く、光の取出し効率が悪い。また、発光装置の薄型化により、樹脂からなる外囲器の壁部は極力薄く形成されている。そのため、発光素子から放出された光が外囲器を通して外部に漏れてしまう場合があり、光の取出し効率が低下する。
【０００６】
これらの問題を解決するため、樹脂表面にメッキや蒸着などの表面処理を施す方法が考えられるが、樹脂へのメッキは困難であるとともに、発光装置を基板へ実装する際、はんだリフローの熱によりメッキがはがれたてしまう問題がある。
【０００７】
この発明は以上の点に鑑みなされたもので、その目的は、小型化が可能であるとともに、光の取出し効率の向上を図ることができる発光装置、および発光装置の製造に用いるリードフレームを提供することにある。
【課題を解決するための手段】
【０００８】
上記課題を達成するため、この発明の態様に係る発光装置は、金属で形成された一対の電極部と、前記一対の電極部に接続された光源と、それぞれ金属で形成され、前記光源の光照射方向の周囲を囲んで起立した少なくとも一対の側壁部を備え、前記一対の側壁部は、前記光源に対向した光照射開口を規定しているとともに、前記光源から前記光照射方向に向かって前記光照射開口の面積が広がるように、前記光照射方向に対して傾斜している。
【０００９】
この発明の他の態様に係るリードフレームは、金属で形成された一対の電極部と、前記一対の電極部に接続された光源と、それぞれ金属で形成され、前記光源の光照射方向の周囲を囲んで起立した少なくとも一対の側壁部を備え、前記一対の側壁部は、前記光源に対向した光照射開口を規定しているとともに、前記光源から前記光照射方向に向かって前記光照射開口の面積が広がるように、前記光照射方向に対して傾斜している発光装置の製造に用いるリードフレームであって、前記一対の電極部および側壁部を形成する金属部を一体に備えている。
【発明の効果】
【００１０】
以上構成によれば、小型化が可能で、光の取出し効率が向上した発光装置、および発光装置の製造に用いるリードフレームを提供することができる。
【発明を実施するための最良の形態】
【００１１】
以下、図面を参照しながら、この発明の実施形態に係る発光装置およびリードフレームについて詳細に説明する。  
図１は、第１の実施形態に係る発光装置全体を示す斜視図、図２は発光装置を光照射開口側から見た平面図、図３、図４はそれぞれ発光装置の異なる断面を示し、図５および図６は、発光装置の外囲器を省略して金属構成部分を示している。
【００１２】
図１ないし図６に示すように、発光装置１０は、光源として、発光素子である発光ダイオード（ＬＥＤ）を備えたサイドビュー型として構成されている。発光装置１０は、例えば、銅からなる金属板を加工して形成された金属部材１２と、金属部材の下部を覆っているとともに金属部材の隙間に充填され金属部材を支持した樹脂からなる外囲器１４と、を有している。
【００１３】
金属部材１２は、正極および負極からなる一対の電極部１６ａ、１６ｂを有し、これらの電極部１６ａ、１６ｂは、細長い平坦な板状に形成され、互いに隙間を置いて直線状に配列されている。ＬＥＤ２０は、例えば、銀ペースト等の接着剤により負極側の電極部１６ｂ上に固定され電極部１６ｂに導通しているとともに、ボンディングワイヤ２１により、電極部１６ａに電気的に接続されている。ＬＥＤ２０は、光を放射する出射面２０ａを有し、この出射面２０ａが電極部１６ａ、１６ｂと平行に位置した状態で、かつ、出射面が電極部と反対側を向いた状態で、配置されている。
【００１４】
金属部材１２は、ＬＥＤ２０の光照射方向Ｃ、ここでは、ＬＥＤの出射面２０ａと直交する方向、の周囲を囲むように起立して設けられた側壁部２２ａ、２２ｂ、２２ｃを有している。側壁部２２ａ、２２ｂ、２２ｃは、それぞれ平坦な板状に形成され、電極部１６ａ、１６ｂの両側に配置され互いに対向している。側壁部２２ａ、２２ｂ、２２ｃは、長手方向の端部が、それぞれ電極部１６ａ、１６ｂの延出方向とほぼ直交する方向に折曲げられ、全体として、ＬＥＤ２０を囲んだ細長い矩形枠状に形成されている。そして、側壁部２２ａ、２２ｂ、２２ｃの電極部１６ａ、１６ｂと反対側の端は、光を放出するほぼ矩形状の光照射開口２４を規定している。
【００１５】
一対の側壁部である側壁部２２ａ、２２ｂは、ＬＥＤ２０に対して片側に並んで配置され、矩形枠の一側面を構成している。また、側壁部２２ａ、２２ｂは、互いに隙間を置いて対向した端縁を有し、この隙間には、後述する絶縁材料が充填されている。側壁部２２ｃは、ＬＥＤ２０対して側壁部２２ａ、２２ｂと反対側に並んで配置され、矩形枠の他側面を構成している。側壁部２２ｃの長手方向の両端縁は、それぞれ側壁部２２ａ、２２ｂの端縁と隙間を置いて対向し、これらの隙間には後述する絶縁材料が充填されている。
【００１６】
側壁部２２ａ、２２ｂ、２２ｃは、光照射方向Ｃに対して、外側に傾斜して延びていている。すなわち、矩形枠の４辺を構成する側壁部２２ａ、２２ｂ、２２ｃは、ＬＥＤ２０側から光照射方向Ｃに向かって光照射開口２４の面積が徐々に広がるように、光照射方向に対して外側に傾斜して延びている。
【００１７】
側壁部２２ａ、２２ｂ、２２ｃは金属で形成されていることから、光を反射する反射部材として機能し、各側壁部の内面は、ＬＥＤ２０から射出される光の少なくとも一部、および後述する波長変換部材から出射される光の少なくとも一部を反射する反射面２３を形成している。各側壁部の内面に、反射率の高い材料、例えば、Ａｇ、Ａｌの少なくとも一方を主成分とする材料をメッキあるいは蒸着し、より高い反射率の高い、つまり、光取出し効率の高い反射面２３を形成してもよい。
【００１８】
側壁部２２ａは、金属からなるつなぎ部２６ａにより電極部１６ａに連結され、側壁部２２ｂは、金属からなるつなぎ部２６ｂにより他方の電極部１６ｂに連結されている。側壁部２２ａ、２２ｂは、電極部１６ａ、１６ｂに電気的に接続され、かつ、互いに電気的に絶縁されることにより、外部に露出し外部から電圧を供給可能な外部電極を構成している。側壁部２２ｃは、一対のつなぎ部２６ｃにより電極部１６に連結されているとともに、側壁部２２ａ、２２ｂに対して電気的に絶縁されている。
【００１９】
このように、電極部１６ａ、つなぎ部２６ａ、および側壁部２２ａは、共通の金属板により一体に形成され、また、電極部１６ｂ、つなぎ部２６ｂ、２６ｃ、および側壁部２２ｂ、２２ｃは、共通の金属板により一体に形成されている。
【００２０】
図５に示すように、外部電極として機能する一対の側壁部２２ａ、２２ｂは、それぞれ外部に露出した外面と、この外面の少なくとも一部の領域に形成され外部に導通可能な導通部３４ａ、３４ｂと、を有している。各導通部３４ａ、３４ｂは、この導通部の周囲の領域よりもハンダに対して高い濡れ性を有している。本実施形態では、側壁部２２ａ、２２ｂの外面に、ハンダなどに対して高い濡れ性を有するＡｇ等の金属膜がスポットメッキあるいは蒸着され、導通部３４ａ、３４ｂを形成している。導通部３４ａ、３４ｂの濡れ性を良くする金属膜はＡｇに限らず、Ａｕ等の他の金属を用いてもよい。それ以外にも、導通部の濡れ性を周囲の領域よりも高くすればよく、導通部３４ａ、３４ｂの周囲に、ハンダ濡れ性を悪くする材料、例えば、ハンダレジスト等で被覆する構成としてもよい。
【００２１】
このような構成により、側壁部２２ａ、２２ｂに対して外部から的確に電圧供給を行うことができる。すなわち、上記のような導通部３４ａ、３４ｂを設けない場合には、発光装置１０をプリント基板などに設置する際、ハンダなどが、側壁部２２ａ、２２ｂの不所望の部分に流れ、正極と負極が短絡してしまう可能性が考えられる。導通部３４ａ、３４ｂのハンダ濡れ性を良くする処置を施すことにより、発光装置をプリント基板上に設置した後、接続不良の発生、誤動作などを防止することができる。
【００２２】
図１、図３、および図４に示すように、電極部１６ａ、１６ｂの下面側を覆っているとともに、金属部材１２の隙間に充填された樹脂からなる外囲器１４が設けられている。外囲器１４を構成する樹脂は、絶縁材料として機能し、側壁部２２ａ、２２ｂ間の隙間、側壁部２２ａ、２２ｂと側壁部２２ｃとの間の隙間にも充填されている。これにより、金属部材１２の各構成部分は外囲器１４によって固定および支持されている。
【００２３】
金属部材１２の内側、ここでは、側壁部２２ａ、２２ｂ、２２ｃの内側には、ＬＥＤ２０および電極部１６ａ、１６ｂに重ねて、透明なシリコーン樹脂等の封止体３０が充填されている。封止体３０内には、波長変換部材として機能する粒子状の蛍光体３２が分散されている。ＬＥＤ２０から射出される第１波長領域を含む励起光は、発光ピーク波長が４００ｎｍ以下の紫外領域を主として構成されている。蛍光体３２としては、４００ｎｍ以下の一次光により励起される蛍光体を用いる。蛍光体３２は、ＬＥＤ２０から射出された第１波長領域を含む励起光の少なくとも一部を吸収して、第２波長領域の光を射出する。第２波長領域の光は、主として４００〜７００ｎｍの一部を含む可視波長領域の光を含んでいる。  
蛍光体は１種類のみを用いてもよいが、複数種類の蛍光体を組み合わせて用いても良い。
【００２４】
次に、以上のように構成された発光装置１０の製造方法について説明する。  
図７は、発光装置の製造に用いるリードフレームを示し、図８は、リードフレームの１ユニットを拡大して示している。
【００２５】
図７および図８に示すように、リードフレーム４０は、銅あるいは鉄系素材（Fe-42%Ni）等からなる薄い金属板をプレスによって打ち抜くことにより、あるいは、エッチングすることにより形成されている。高い光の取出し効率を必要とする場合は、予めＡｇなど反射率の高い材料を所定位置にメッキあるいは蒸着し、反射面を形成しておく。また、側壁部の導通部を形成する領域に、予めＡｇなどのハンダ濡れ性の高い金属をメッキあるいは蒸着し、導通部を形成しておく。反射面および導通部を同一の金属であるＡｇにより形成する場合、これらを同一工程で形成でき、製造コストを抑制することができる。
【００２６】
続いて、リードフレーム４０を必要形状に打ち抜き、あるいはエッチングにより、電極部、側壁部を形成する。側壁部は、電極部とつなぎ部を介してつながっている。すなわち、リードフレーム４０は、互いに隙間を置いて平行に延びた一対のフレーム部４２と、リードフレームの長手方向に一定の間隔を置いて設けられ、フレーム部間を連結している複数のブリッジ部４４と、隣り合うブリッジ部間、およびフレーム部間に形成された複数のリードユニット４６と、を有している。各フレーム部４２には、長手方向に一定の間隔をおいて、複数の送り孔４５が形成されている。複数のリードユニット４６は、リードフレーム４０の長手方向に沿って、２列に並んで形成されている。
【００２７】
各リードユニット４６は、一方のブリッジ部４４から延出したリードにより形成された電極部１６ａ、つなぎ部２６ａ、および側壁部２２ａと、他方のブリッジ部４４から延出したリードにより形成された電極部１６ｂ、つなぎ部２６ｂ、２６ｃ、および側壁部２２ｂ、２２ｃと、を有し、これらは、フレーム部４２と面一の平坦な金属板により形成されている。
【００２８】
発光装置１０を製造する場合、まず、図５に示したように、リードフレーム４０の各リードユニット４６における側壁部２２ａ、２２ｂ、２２ｃを曲げ起こし、同時に、必要な反射面形状となるように成形する。
【００２９】
次いで、図９に示すように、樹脂インサートモールドにより、各リードユニット４６に外囲器１４を成形する。その後、電極部１６ｂ上に発光素子を実装し、かつ、ボンディングワイヤにより他方の電極部１６ａに接続する。更に、蛍光体が分散された封止体、例えば、シリコーン樹脂を発光素子に重ねてリードユニット４６内に充填する。以後、リードユニット４６をブリッジ部４４から切り離すことにより、発光装置１０が得られる。
【００３０】
上記のように構成された発光装置１０は、側壁部２２ａ、２２ｂが露出している側の側壁が例えば、プリント回路基板上に実装され、導通部３４ａ、３４ｂがハンダ等により電源等に電気的に接続される。そして、外部電極として機能する側壁部２２ａ、２２ｂ、電極部１６ａ、１６ｂおよびボンディングワイヤ２１を介してＬＥＤ２０に通電されると、ＬＥＤ２０は主として紫外線領域の波長を含む光を出射する。この光により、蛍光体３２が励起され、主として可視領域の波長を含む光を出射する。
【００３１】
これらの光は、発光装置１０の光照射開口２４からプリント回路基板とほぼ平行な方向に沿って出射される。また、ＬＥＤ２０から射出される第１波長領域の光の一部、および蛍光体３２から射出される第２波長領域の光の一部は、側壁部２２ａ、２２ｂ、２２ｃの反射面２３によって光取出し方向に反射され、つまり、光照射開口２４側に反射され、この光照射開口から外部に出射される。
【００３２】
この際、側壁部２２ａ、２２ｂ、２２ｃは、ＬＥＤ２０からの光照射方向Ｃに向かうに従い、その開口面積を大きくするように、光照射方向Ｃに対して外側に傾斜して延びている。このように構成することにより、光照射方向Ｃへの光取出し効率を向上させることができる。
【００３３】
つまり、ＬＥＤ２０から射出した第１波長領域を含む光は、ＬＥＤの出射面２０ａに垂直な光照射方向Ｃに広がるように進行する。その際、その光の一部は側壁部２２ａ、２２ｂ、２２ｃの反射面２３で反射し、光照射方向に集光される。側壁部が互いに平行な平板状となっていた場合には、光はその両者間において反射し合い、やがて熱変換し減衰してしまうことになる。このようなことが無いように、本実施形態では、光照射方向Ｃを囲む形で設けられた側壁部を、ＬＥＤからの光照射方向に対して外側に傾斜させ、光照射開口の面積が徐々に大きくなるように構成することにより、ＬＥＤから発生した光を効率良く、取出すことができる。
【００３４】
側壁部２２ａ、２２ｂ、２２ｃは金属板で形成され、高い反射率を有していることから、ＬＥＤ２０および蛍光体３２から出射された光の一部を光照射開口に向けて反射することができる。同時に、側壁部２２ａ、２２ｂ、２２ｃは、発光装置の薄型化を図る目的で、側壁部自体および外囲器１４を薄く形成した場合でも、光の透過を遮蔽し、光漏れを抑制することができる。これにより、発光装置としての光取出し効率を上げることができる。
【００３５】
ＬＥＤ２０に接続されている電極部１６ａ、１６ｂと、光照射方向に起立している金属の側壁部２２ａ、２２ｂ、２２ｃと、を接続することにより、ＬＥＤから発生する熱を、電極部および側壁部により効率的に放熱させることができ、ＬＥＤの光照射能力を長期間保持することが可能となる。つまり、ＬＥＤ２０は、温度が上がると発光効率が落ちることが知られているが、本発光装置によれば、ＬＥＤの温度上昇を抑制し、光照射能力を維持することができる。
【００３６】
一対の側壁部２２ａ、２２ｂは外部に露出して設けられ、外部電極として機能することから、これら側壁部の外側に更に別の外部電極を設ける必要がなく、装置全体を小型した場合でも、側壁部によって囲まれる光照射開口２４の大きさを大きくとることができる。また、金属部材１２の曲げ加工などを最小限とすることができ、製造コストの低減および歩留まりも向上を図ることが可能となる。
【００３７】
電極部および金属の側壁部を接続する構成とすることにより、構造体としての機械的強度を上げることができ、発光装置製造時のハンドリング性を良好にすると共に、構造体の製造時の破壊による歩留まり低下を防ぐことができる。
【００３８】
前述したように、外部電極として機能する側壁部に、ハンダなどに対して濡れ性の高い導通部を形成することにより、プリント基板等に発光装置を実装する際、ハンダなどが、不所望の部分に流れてしまうことを防止することができ、電極のショート、誤動作などを防止することができる。また、導通部の位置、形状を容易に変更することができ、発光装置を種々の機器に適用させることができる。
【００３９】
ＬＥＤに重ねて蛍光体３２を配置することにより、ＬＥＤから射出できる波長とは異なる波長領域の光を取出すことが可能となり、発光装置を広範囲な用途として使用できるようになる。例えば、ＬＥＤとしては紫外領域の波長を含む青色を発光させ、紫外光を黄色の蛍光体（波長変換部材）に照射させることにより波長領域を広げた照射光としたり、紫外領域の光を用いて、赤、青、緑などの３色蛍光体に照射励起することによりそれぞれの波長の光を取出すことができ、例えばテレビなどにも活用することができる。更に、発光素子の種類を１種類とした場合でも、あらゆる光の波長を取出すことができ、製造コストを抑制することが可能となる。
【００４０】
金属で形成された側壁部の反射面を、Ａｇ、Ａｌなどの反射率の高い材料で形成することにより、製造コストを抑制しながら、所望の光照射方向への光取出し効率を更に上げることができるようになる。
【００４１】
すなわち、このような構成とすることにより、側壁部の主成分を例えばＳＵＳ、りん青銅等のあまり反射率の高くない、低コストながら強度、光透過抑制性を有する材料とし、表面の反射面のみを高価であるが、反射率の高いＡｇなどを使うことができる。また、Ａｌなどは、反射率は高いが、柔らかい材料の為、側壁部全体を構成するには強度不足となる。そのため、側壁部の主要部をＳＵＳ等の強度の高い材料で形成し、反射面のみをＡｌで構成することが望ましい。
【００４２】
電極部および側壁部の下端を合成樹脂からなる外囲器１４で覆うことにより、一対の電極部１６ａ、１６ｂと、これに接続された側壁部２２ａ、２２ｂ、２２ｃと、を強固に固定することができる。また、電極部や側壁部の隙間を樹脂で埋めることができ、ＬＥＤ２０や蛍光体３２で発生させた光を、不所望の方向に漏らすことなく、所望の光照射方向に取出すことができる。
【００４３】
前述したリードフレームを用いて発光装置を製造することにより、平板から電極面と反射面を形成でき、絞り加工を行う場合等に比較して製造コストの面で有利となる。リードフレーム上でプレス、成型、加工などが行え、製造が簡単に行える。反射板となる側壁部の傾斜角度を容易に変更することができる。
【００４４】
以上のことから、小型化が可能で、光の取出し効率が向上した発光装置、および発光装置の製造に用いるリードフレームが得られる。
【００４５】
図１０および図１１は、この発明の第２の実施形態に係る発光装置をそれぞれ示している。第２の実施形態によれば、合成樹脂で形成された外囲器１４は、電極部１６ａ、１６ｂの下面側を覆っているとともに金属部材１２の隙間に充填され、更に、ほぼ矩形枠状に形成された側壁部２２ａ、２２ｂ、２２ｃの内、導電部３４ａ、３４ｂが形成されている１辺を除いて、側壁部の外面側を覆って設けられている。金属部材１２の各構成部分は外囲器１４によって固定および支持されている。  
このように、外囲器１４によって、側壁部２２ａ、２２ｂ、２２ｃの外面側を覆うことにより、金属部材１２の強度および発光装置１０全体の強度を向上することができる。
【００４６】
図１２は、この発明の第３の実施形態に係る発光装置をそれぞれ示している。第３の実施形態によれば、合成樹脂で形成された外囲器１４は、電極部１６ａ、１６ｂの下面側を覆っているとともに金属部材１２の隙間に充填され、また、ほぼ矩形枠状に形成された側壁部２２ａ、２２ｂ、２２ｃの内、導電部３４ａ、３４ｂが形成されている１辺を除いて、側壁部の外面側を覆って設けられている。更に、外囲器１４は、金属部材１２の導電部３４ａ、３４ｂが形成されている１辺において、電極部３４ａ、３４ｂを除いて、側壁部の外面を覆って形成されている。
【００４７】
このように、外囲器１４によって、電極部３４ａ、３４ｂを除いて、側壁部２２ａ、２２ｂ、２２ｃの外面側を覆うことにより、金属部材１２の強度および発光装置１０全体の強度を一層向上することができる。また、電極部３４ａ、３４ｂの間に樹脂部を設けることにより、発光装置１０を実装する際、電極部３４ａ、３４ｂの範囲を超えて過度に広がること、更には、電極部３４ａ、３４ｂ同士がハンダによって短絡してしまうことを確実に防止できる。なお、側壁部外面に対する樹脂部の突出量は、ハンダ付けには悪影響を与えないように、０．１ｍｍ程度に抑えられている。
【００４８】
上述した第２および第３の実施形態において、他の構成は前述した第１の実施形態と同一であり、同一の部分には、同一の参照符号を付してその詳細な説明を省略する。そして、第２および第３の実施形態においても、第１の実施形態と同様の作用効果を得ることができる。
【００４９】
上述した第１の実施形態において、金属部材１２の側壁部２２ａ、２２ｂ、２２ｃは、矩形枠を形成する４辺の全てが光照射方向Ｃに対して外側に傾斜している構成としたが、これに限らず、少なくとも１辺が傾斜して形成されていれば、光の取出し効率を上げることが可能となる。
【００５０】
図１３および図１４に示す第４の実施形態に係る発光装置よれば、矩形枠の４辺を構成する側壁部２２ａ、２２ｂ、２２ｃの内、導通部が形成された一辺を構成する側壁部２２ａ、２２ｂは、ＬＥＤ２０の光照射方向と平行な方向に延び、他の辺は、それぞれ光照射方向に対して、ＬＥＤから外側に広がる方向に傾斜している。
【００５１】
第４の実施形態において、他の構成は前述した第１の実施形態と同一であり、同一の部分には、同一の参照符号を付してその詳細な説明を省略する。  
第４の実施形態に係る発光装置においても、第１の実施形態と同様の作用効果を得ることができる。また、第４の実施形態によれば、外部からの電圧を供給する導通部をプリント基板等に対して設置し易くすることができるとともに、他の辺の内面を傾斜した構成とすることにより、光を効率良く取出すことができる。
【００５２】
図１５に示す第５の実施形態に係る発光装置によれば、矩形枠の４辺を構成する側壁部２２ａ、２２ｂ、２２ｃは、導通部が形成されている部分を除いて、ＬＥＤ２０の光照射方向と平行な方向に延びている。
【００５３】
図１６に示す第６の実施形態に係る発光装置によれば、矩形枠の４辺を構成する側壁部２２ａ、２２ｂ、２２ｃの内、２つの短辺を構成する部分のみが、光照射方向Ｃに対して外側に傾斜し、他の部分は、ＬＥＤ２０の光照射方向と平行な方向に延びている。
【００５４】
第５および第６の実施形態において、他の構成は前述した第１の実施形態と同一であり、同一の部分には、同一の参照符号を付してその詳細な説明を省略する。  
５および第６の実施形態に係る発光装置においても、第１の実施形態と同様の作用効果を得ることができる。また、側壁部の少なくとも一部を、ＬＥＤに対して外側に広がる方向に傾斜させることにより、光を効率良く取出すことができる。
【００５５】
なお、この発明は上記実施の形態そのままに限定されるものではなく、実施段階ではその要旨を逸脱しない範囲で構成要素を変形して具体化可能である。また、上記実施の形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００５６】
例えば、上述した実施形態において、外部電極として機能する一対の側壁部は、発光素子の片側に並んで配置された構成としたが、これに限らず、一対の側壁部を発光素子の両側にそれぞれ配置し、これら一対の側壁部をそれぞれ電極部に接続した構成としてもよい。電極部と側壁部とを共通の金属板で一体に形成する構成としたが、側壁部を別体の金属で形成し、電極部に溶接等によって連結する構成としてもよい。
【００５７】
蛍光体を分散させた封止体は、シリコーン樹脂に限らず、例えばエポキシ系樹脂や、その他光透過性を有する樹脂を用いることができる。また、図１１に示す第７の実施形態のように、蛍光体が分散された封止体を省略し、発光素子２０からの出射光のみを照射する発光装置としてもよい。上述した実施形態では、リードフレームを、プレスによって打ち抜く、あるいはエッチングにより金属部を形成する構成としたが、他に、レーザーカット、ウオータージェットなどで加工してもよい。
【００５８】
前述した実施形態では、電極部１６ａ、１６ｂから一つのつなぎ部を介して側壁部が延出する構成としたが、これに限らず、例えば、電極部１６ａから２つのつなぎ部を介して、対向する側壁部を形成しても、片側の側壁部を２つ以上のつなぎ部を介して形成しても良い。例えば、電極部１６ａから２つのつなぎ部を介して、対向する側壁部を形成した場合、曲げ加工時にバランスよく側壁部を曲げることができ、ねじれなどの加工不良がおきにくくすることができる。
【図面の簡単な説明】
【００５９】
【図１】図１は、この発明の第１の実施形態に係る発光装置を示す斜視図。
【図２】図２は、前記発光装置の平面図。
【図３】図３は、図１の線Ａ−Ａに沿った発光装置の断面図。
【図４】図４は、図１の線Ｂ−Ｂに沿った発光装置の断面図。
【図５】図４は、前記発光装置の外囲器を省略し、金属部材を示す斜視図。
【図６】図６は、前記金属部材の平面図。
【図７】図７は、前記発光装置の製造に用いるリードフレームを示す斜視図。
【図８】図８は、前記リードフレームのリードユニットを拡大して示す平面図。
【図９】図９は、前記リードフレームに樹脂製の外囲器をインサートモールドした状態を示す斜視図。
【図１０】図１０は、この発明の第２の実施形態に係る発光装置を示す斜視図。
【図１１】図１１は、図１０の線Ｄ−Ｄに沿った発光装置の断面図。
【図１２】図１２は、この発明の第３の実施形態に係る発光装置を示す斜視図。
【図１３】図１３は、この発明の第４の実施形態に係る発光装置を示す斜視図。
【図１４】図１４は、第４の実施形態に係る発光装置の金属部材を示す平面図。
【図１５】図１５は、この発明の第５の実施形態に係る発光装置の金属部材を示す平面図。
【図１６】図１６は、この発明の第６の実施形態に係る発光装置の金属部材を示す平面図。
【図１７】図１７は、この発明の第７の実施形態に係る発光装置を示す断面図。
【符号の説明】
【００６０】
１０…発光装置、１２…金属部材、１４…外囲器、１６ａ、１６ｂ…電極部、
２０…ＬＥＤ、２０ａ…出射面、２２ａ、２２ｂ、２２ｃ…側壁部、２３…反射面、
２４…光照射開口、２６ａ、２６ｂ、２６ｃ…つなぎ部、３０…封止体、
３２…蛍光体、４０…リードフレーム、４６…リードユニット
【図１】
2009260078.tif 000003
【図２】
2009260078.tif 000004
【図３】
2009260078.tif 000005
【図４】
2009260078.tif 000006
【図５】
2009260078.tif 000007
【図６】
2009260078.tif 000008
【図７】
2009260078.tif 000009
【図８】
2009260078.tif 000010
【図９】
2009260078.tif 000011
【図１０】
2009260078.tif 000012
【図１１】
2009260078.tif 000013
【図１２】
2009260078.tif 000014
【図１３】
2009260078.tif 000015
【図１４】
2009260078.tif 000016
【図１５】
2009260078.tif 000017
【図１６】
2009260078.tif 000018
【図１７】
2009260078.tif 000019